【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
第１符号化方式で符号化された第１符号化データを、第２符号化データに変換する符号化方式変換装置であって、
前記第１符号化データを復号化する復号化手段と、
前記第１符号化データを復号化することによって得られるデコード情報のうち前記第１符号化データの符号化タイプ以外のいずれかを用いて、第２符号化方式におけるデブロックフィルタのフィルタ強度を算出するデブロックフィルタ強度算出手段と、
前記デブロックフィルタ強度算出手段により算出された前記フィルタ強度に従って、ブロック境界のノイズを軽減するデブロックフィルタ手段と
を備えることを特徴とする符号化方式変換装置。
【請求項２】
前記デブロックフィルタ強度算出手段は、複数の各前記デコード情報の値を評価するための評価値を重み付け加算し、前記加算結果に対応する１つのフィルタ強度を算出する
ことを特徴とする請求項１記載の符号化方式変換装置。
【請求項３】
前記符号化方式変換装置は、さらに、
前記第１符号化データを復号化することによって得られるシンタックス・エレメントと付加情報とから、符号量、量子化パラメータ、イントラマクロブロック数、および動きベクトル情報のうち少なくとも１つを前記デコード情報として算出する復号情報解析手段を備え、
前記デブロックフィルタ強度算出手段は、前記復号情報解析手段によって算出された前記デコード情報を用いて前記フィルタ強度を算出する
ことを特徴とする請求項１記載の符号化方式変換装置。
【請求項４】
前記符号化方式変換装置は、さらに、
前記第２符号化データを生成する際に得られるシンタックス・エレメントと付加情報とから、量子化パラメータの平均値、目標符号量及び符号化ターゲットレートのいずれかを符号化情報として算出する符号化情報解析手段を備え、
前記デブロックフィルタ強度算出手段は、前記デコード情報および前記符号化情報から少なくとも一つを用いて、前記フィルタ強度を算出する
ことを特徴とする請求項３記載の符号化方式変換装置。
【請求項５】
前記復号化情報解析手段は、さらに、前記第１符号化データの直交変換の単位となったブロックサイズを取得し、
前記符号化情報解析手段は、さらに、前記第２符号化データの直交変換の単位となったブロックサイズを取得し、
前記符号化方式変換装置は、さらに、
前記復号化情報解析手段と前記符号化情報解析手段とによって取得されたブロックサイズのうち、いずれか一方のブロックサイズのブロック境界を、デブロックフィルタを施すべきデブロックフィルタ位置と決定する第１デブロックフィルタ位置決定手段を備え、
前記デブロックフィルタ手段は、前記第１デブロックフィルタ位置決定手段によって決定されたデブロックフィルタ位置に、デブロックフィルタを施す
ことを特徴とする請求項４記載の符号化方式変換装置。
【請求項６】
前記デブロックフィルタ強度算出手段は、前記第１符号化方式がＨ．２６４/ＡＶＣ規
格である場合、Ｈ．２６４/ＡＶＣ規格のシンタックス・エレメントであるｄｅｂｌｏｃ
ｋｉｎｇ＿ｆｉｌｔｅｒ＿ｃｏｎｔｒｏｌ＿ｐｒｅｓｅｎｔ＿ｆｌａｇ及びｄｉｓａｂｌｅ＿ｄｅｂｌｏｃｋｉｎｇ＿ｆｉｌｔｅｒ＿ｉｄｃ、ｓｌｉｃｅ＿ａｌｐｈａ＿ｃ０＿ｏｆｆｓｅｔ＿ｄｉｖ２、ｓｌｉｃｅ＿ｂｅｔａ＿ｏｆｆｓｅｔ＿ｄｉｖ２のうち、少なく
とも一つを用いて前記デブロックフィルタ手段のフィルタ強度を算出する
ことを特徴とする請求項１記載の符号化方式変換装置。
【請求項７】
前記符号化方式変換装置は、さらに、前記第１符号化方式がＨ．２６４/ＡＶＣ規格で
ある場合、Ｈ．２６４/ＡＶＣ規格のシンタックス・エレメントであるｄｅｂｌｏｃｋｉ
ｎｇ＿ｆｉｌｔｅｒ＿ｃｏｎｔｒｏｌ＿ｐｒｅｓｅｎｔ＿ｆｌａｇと、ｄｉｓａｂｌｅ＿ｄｅｂｌｏｃｋｉｎｇ＿ｆｉｌｔｅｒ＿ｉｄｃとを用いて前記デブロックフィルタ手段のフィルタ位置を決定する第２デブロックフィルタ位置決定手段を備え、
前記デブロックフィルタ手段は、前記第２デブロックフィルタ位置決定手段によって決定されたデブロックフィルタ位置に、デブロックフィルタを施す
ことを特徴とする請求項１の符号化方式変換装置。
【請求項８】
前記デブロックフィルタ強度算出手段は、前記デコード情報である前記量子化パラメータの平均値が大きいほど、高いフィルタ強度を算出する
ことを特徴とする請求項３記載の符号化方式変換装置。
【請求項９】
前記デブロックフィルタ強度算出手段は、前記デコード情報である前記量子化パラメータの平均値と前記符号量との演算によって得られるコンプレキシティの値が大きいほど、高いフィルタ強度を算出する
ことを特徴とする請求項３記載の符号化方式変換装置。
【請求項１０】
前記デブロックフィルタ強度算出手段は、前記デコード情報である前記イントラマクロブロック数が画面内で占める割合が大きいほど、高いフィルタ強度を算出する
ことを特徴とする請求項３記載の符号化方式変換装置。
【請求項１１】
前記デブロックフィルタ強度算出手段は、前記デコード情報として算出された前記動きベクトル情報である、前記動きベクトルの絶対値の総和及び前記動きベクトルの単純総和のいずれかについて、その値が大きいほど、高いフィルタ強度を算出する
ことを特徴とする請求項３記載の符号化方式変換装置。
【請求項１２】
前記符号化方式変換装置は、
前記デブロックフィルタ強度算出手段によって算出された前記フィルタ強度に対応する量子化パラメータが第２符号化方式の規格で定められた値の範囲を越える場合、前記フィルタ強度を変化させず、かつ、第２符号化方式の規格で定められた範囲内の値をとる量子化パラメータを選択し、選択した量子化パラメータから決まる量子化ステップに、量子化ステップの倍率である量子化マトリックスを乗算して、乗算後の量子化ステップが、前記デブロックフィルタ強度算出手段によって算出された前記フィルタ強度に対応する量子化パラメータに対応する値となるよう調節するフィルタ強度調節手段と、
前記フィルタ強度調節手段によって選択された第２符号化方式の規格で定められた範囲内の値をとる前記量子化パラメータと、乗算された前記量子化マトリックスの値とを符号化する符号化手段とを備え、
前記デブロックフィルタ手段は、前記デブロックフィルタ強度算出手段によって算出されたフィルタ強度でデブロックフィルタを施す
ことを特徴とする請求項１記載の符号化方式変換装置。
【請求項１３】
前記フィルタ強度調節手段は、前記フィルタ強度に対応する量子化パラメータが第２符号化方式の規格で定められた値の範囲を越える場合、量子化マトリックスが乗算される前の量子化ステップに対応する前記量子化パラメータと、前記量子化パラメータの直前に符号化された量子化パラメータとの差分が最小となるように前記量子化パラメータを選択し、
前記符号化手段は、量子化マトリックスが乗算される前の量子化ステップに対応する前記量子化パラメータと、前記量子化パラメータの直前に符号化された量子化パラメータとの差分を符号化する
ことを特徴とする請求項１２記載の符号化方式変換装置。
【請求項１４】
第１符号化方式で符号化された第１符号化データを、第２符号化データに変換する符号化方式変換方法であって、
前記第１符号化データを復号化する復号化ステップと、
前記第１符号化データを復号化することによって得られるデコード情報のうち前記第１符号化データの符号化タイプ以外のいずれかを用いて、第２符号化方式におけるデブロックフィルタのフィルタ強度を算出するデブロックフィルタ強度算出ステップと、
前記デブロックフィルタ強度算出ステップにより算出された前記フィルタ強度に従って、ブロック境界のノイズを軽減するデブロックフィルタステップと
を含むことを特徴とする符号化方式変換方法。
【請求項１５】
第１符号化方式で符号化された第１符号化データを、第２符号化データに変換する符号化方式変換装置のためのプログラムであって、コンピュータに
前記第１符号化データを復号化する復号化ステップと、前記第１符号化データを復号化することによって得られるデコード情報のうち前記第１符号化データの符号化タイプ以外のいずれかを用いて、第２符号化方式におけるデブロックフィルタのフィルタ強度を算出するデブロックフィルタ強度算出ステップと、前記デブロックフィルタ強度算出ステップにより算出された前記フィルタ強度に従って、ブロック境界のノイズを軽減するデブロックフィルタステップとを実行させるプログラム。